(57)【要約】      （修正有）【課題】足踏み動作にてトリガー形式スプレーボトルより消毒液を噴射させ、消毒液の噴射をしない場合はプランターを収納し、飾られたプランターを鑑賞することが出来る足踏み式消毒液噴射装置を提供する。【解決手段】足踏みペダル５を踏むと第二ワイヤー１６とターンバックル１５と第一ワイヤー１３などよりなるワイヤー機構がトリガー式スプレーボトル１９のトリガーを引き、トリガー式スプレーボトル１９は第一ピン６と第二ピン７により左右方向と垂直方向を拘束し、ベルト１８により支柱１から離れる方向を拘束し、噴射口拘束用のワイヤー１２で回転方向の移動を拘束されているために、トリガー形式スプレーボトル１９の噴射機能が作動し消毒液を噴射する。トリガー式スプレーボトル１９の噴射機能を使用していない場合は、プランター収納２３ａ、２３ｂにプランターを収納し鑑賞することが出来る。【選択図】図１
0003230461.tif 000002
【実用新案登録請求の範囲】
【請求項１】
土台に立設した支柱と、この支柱にトリガー形式のスプレーボトルを固定する固定機構と、前記土台に隣接して取り付けたペダルを足で踏む力をワイヤーに伝えるペダル機構と、前記ペダル機構からワイヤーに伝わる力をトリガーに伝えるワイヤー機構と、支柱のスプレーボトル固定面以外の面に取り付けられたプランターが収納できるプランター収納機構とで構成した足踏み式消毒液噴射装置。
【請求項２】
請求項１に記載の前記固定機構は、スプレーボトルの重量を支えスプレーボトルの左右方向への移動を拘束する第一ピンおよび第二ピンと、ワイヤー機構から伝わる引っ張り力によるスプレーボトルの回転を拘束する噴射口取り付けワイヤーと、ボトルを支柱から離れない様に拘束するバンドにより構成される足踏み式消毒液噴射装置。
【請求項３】
請求項１に記載の前記ペダル機構は、ペダルの一端を平丁番によりペダル台と締結し、ペダルの足踏み面とは反対側の面にバネを取り付け、バネの他端をペダル台に中程まで掘られたバネ用の受け穴の底に突き当て、ペダルを足踏みすることでペダルの解放側の先端に取り付けられたワイヤー固定ビスが下がり、ワイヤーに引っ張りの力を加えることが出来き、ペダルから足を離すとバネの力で元の位置まで戻る機構である足踏み式消毒液噴射装置。
【請求項４】
請求項１に記載の前記ワイヤー機構は、ワイヤーの一端を環状としてトリガーに取り付け、滑車を介して方向を転換し、請求項３の前記ペダル機構のペダルの先端に取り付けられたワイヤー固定ビスにワイヤーの末端を環状として取り付けた機構である足踏み式消毒液噴射装置。
【請求項５】
請求項１に記載の前記プランター収納機構は、プランターを収納するための籠状のものであって、前記支柱のスプレーボトル固定面以外の面に取り付ける機構である足踏み式消毒液噴射装置。
【考案の詳細な説明】
【技術分野】
【０００１】  本考案は、トリガー形式スプレーボトルを使用した足踏み式消毒液噴射装置と、それに付加するプランター収納に関するものである。
【背景技術】
【０００２】  消毒液を手指に噴射させるボトルの形式には、噴射ノズルを有する昇降ヘッドを押し下げて噴射させるポンプ形式のものと、トリガーと呼ばれるレバーをひいて液体を押し出すトリガー形式のものがある。現在、使用されている足踏み式で消毒液を噴射させる装置は多くがポンプ形式のスプレーボトルを利用したものである。
【先行技術文献】
【特許文献】
【０００３】
【特許文献１】特開２００８−２２９２９６公報
【特許文献２】実用新案登録第３１８８０１４号公報
【考案の概要】
【考案が解決しようとする課題】
【０００４】  一般に販売されている消毒液ボトルには清掃時の部分消毒に使いやすいトリガー形式の物も多いが、これらはそのままでは足踏み式で消毒液を噴射させる多くの装置には装着出来ないために、足踏み式を利用したい場合には新たにポンプ形式のボトルを準備しなければならない。【０００５】  また、足踏み式で消毒液を噴射させる装置は、使用目的が手指の消毒が主であることから、感染症の流行が収束し、保有者が消毒の必要を感じなくなった状況下においては、倉庫などに保管されたり、保管の作業負荷や経費が保有者を圧迫する場合には、売却や廃棄処分となるため不経済である。
【課題を解決するための手段】
【０００６】  本考案は、上記の課題を解決するために、土台に立設された支柱にトリガー形式スプレーボトルを固定する固定機構と、下部のペダルを足で踏む力をワイヤーに伝えるペダル機構と、ペダル機構からワイヤーに伝わった力をトリガーに伝えるワイヤー機構と、支柱のスプレーボトル取り付け面とは異なる面に取り付けられるプランターが収納できるプランター収納機構とによりなる。
【考案の効果】
【０００７】  本考案によれば、ペダルを足で踏むことによりトリガー形式スプレーボトルのトリガーを引き噴射機能を作動させて、消毒液を手指に噴射することが出来る。【０００８】  また、トリガー形式スプレーボトルの噴射機能を作動させない場合においても、プランター収納機構を使ってプランターを収納し、プランターの植物を鑑賞することが出来る。
【図面の簡単な説明】
【０００９】
【図１】本考案の斜視図である。
【図２】本考案の正面図である。
【図３】本考案の右側面図である。
【図４】本考案の背面図である。
【図５】本考案の固定機構部の詳細図である。
【図６】本考案のペダル機構の詳細図である。
【考案を実施するための形態】
【００１０】  以下、本考案を実施するための形態について図面を元に説明する。
図１に示すように、支柱１を鉛直に立設するするために、土台２ａおよび土台２ｂを左右から支柱１を挟み込む形で平行に設置し、前横桟３ａと後横桟３ｂを支柱１を前後から挟み込む形で土台２ａおよび２ｂに固定する。支柱はアングル１７ａとビスにより前横桟３ａに、アングル１７ｂとビスにより後横桟３ｂに固定する。
【００１１】  土台２ａと２ｂの間にペダル機構を設置する。図６に示すようにペダル機構はペダル台４とペダル５と平丁番２０およびバネ２１より構成される。ペダル５の一端は平丁番２０によりペダル台４に取り付けられ他端が開閉動作をする。バネ２１の一端をペダル５の足踏み側とは反対の面に取り付け、他端をペダル台４に中程まで掘られたバネ用の受け穴２４の底に突き当てる。バネ２１の自由高さと許容荷重時高さの差によりペダルの先端に生じる鉛直方向の差が概ねトリガーの引き代と同程度となるようにバネを取り付ける。
【００１２】  図５に示すように、支柱１の上部にトリガー式スプレーボトル１９を固定することが出来るような固定機構を設置する。固定機構は第一ピン６と第二ピン７と噴射口拘束用のワイヤー１２とワイヤー固定用具１１ａと固定ベルト１８よりなる。第一ピン６と第二ピン７はトリガー噴射機構造体１９３の下部を左右より挟み込むように位置し、トリガー式スプレーボトル１９の鉛直方向の重量を支えるが、第一ピン６が噴射口１９４側にありトリガー噴射機構造体１９３の下に入るため主にこちらで鉛直重量を支える。一方、第二ピン７はトリガー１９５に繋がるワイヤー機構側にあり、足踏み動作時のワイヤー１３にかかる引っ張りの力に抗してトリガー式スプレーボトル１９の移動を拘束する。噴射口拘束用のワイヤー１２は一端をワイヤー固定用具１１ａにより支柱１の側面に取り付け、他端をワイヤーかしめ具１４ｅを使い環状としてトリガー式スプレーボトル１９の噴射口１９４に取り付け、足踏み動作時のワイヤー機構からトリガー１９５にかかる引っ張りの力により生ずるトリガー式スプレーボトル１９の回転移動を拘束する。固定ベルト１８はトリガー式スプレーボトル１９のナット部１９２とスプレーボトル１９１の上部の間に支柱１を合わせて巻くように取り付け、トリガー式スプレーボトルが支柱１から離れる方向の移動を拘束する。
【００１３】  ワイヤー機構はトリガー式スプレーボトル１９のトリガー１９５と足踏み機構を結び、足踏みの力を第一ワイヤー１３によりトリガーに伝えるための機構である。ワイヤー機構は第一ワイヤー１３の一端をワイヤーかしめ具１４ａを使い環状として、トリガー式スプレーボトル１９のトリガー１９５に取り付け、滑車９を介して第一ワイヤーの方向を転換し、ターンバックル１５を経て足踏み機構のペダルの開放側のワイヤー固定ビス２２に第二ワイヤー１６を接続する。滑車９は滑車台８に固定軸１０により取り付けられる。ワイヤー機構の長さ調整のため、滑車９とワイヤー固定ビス２２の間の経路にターンバックル１５を挿入する。ワイヤー機構全体がボトルの形状や気温によるワイヤーの伸び縮みなどにより、緩みがある場合や張り過ぎている場合は、ターンバックル１５を回転し全体の長さを微調整する。ワイヤー機構全体の重量は、トリガー式スプレーボトル１９の内部のトリガー位置回復のためのバネの力に影響を及ぼさない程に小さくする。
【００１４】  プランター収納機構は支柱１のトリガー式スプレーボトル１９の固定面とは異なる面に構成する。プランターが収納できる籠状のプランター収納２３ａおよび２３ｂには上部の左右に引掛け用のフックがあり、支柱１の左右に取り付けられた固定具１１ａ、１１ｂに２３ａを１１ｃ、１１ｄに２３ｂをそれぞれ取り付け、上下２段のプランター収納を構成する。尚、固定具１１ａは前記トリガー式スプレーボトル固定機構のワイヤー固定用具を共通としてもよい。
【実施例】
【００１５】  ペダル５を踏み込むとペダル５の解放側が下がり、先端のワイヤー固定ビス２２により締結されている第二ワイヤー１６とターンバックル１５と第一ワイヤー１３からなるワイヤー機構が引っ張りの力を受け滑車９を経てトリガー１９５を引く。トリガー形式スプレーボトル１９は固定機構により固定されており、トリガー１９５が引かれることにより噴射機能が作動し、噴射口１９４より消毒液が噴射される。【００１６】  足踏みペダル５を踏み込んだ状態から足を離すと、バネ２１の力によりペダル５は元の位置まで戻り、同時にトリガー１９５もトリガー形式スプレーボトル１９内部のバネの力によりワイヤー機構を引き上げて元の位置に回復する。【００１７】  消毒のための足踏み動作がない場合であっても、プランター収納機構にプランターを収納することが出来るため、プランターに飾られた物を鑑賞することが出来る。
【符号の説明】
【００１８】１：支柱
２ａ、２ｂ：土台
３ａ：前横桟
３ｂ：後横桟
４：ペダル台
５：ペダル
６：第一ピン
７：第二ピン
８：滑車台
９：滑車
１０：固定軸
１１ａ、１１ｂ、１１ｃ、１１ｄ：固定具
１２：噴射口拘束用のワイヤー
１３：第一ワイヤー
１４ａ、１４ｂ、１４ｃ、１４ｄ、１４ｅ：ワイヤーかしめ具
１５：ターンバックル
１６：第二ワイヤー
１７ａ、１７ｂ：アングル
１８：固定ベルト
１９：トリガー形式スプレーボトル
１９１：スプレーボトル部
１９２：ナット部
１９３：トリガー噴射機構造体
１９４：噴射口
１９５：トリガー
２０：平丁番
２１：バネ
２２：ワイヤー固定ビス
２３ａ、２３ｂ：プランター収納
２４：バネ用の受け穴
【図１】
0003230461.tif 000003
【図２】
0003230461.tif 000004
【図３】
0003230461.tif 000005
【図４】
0003230461.tif 000006
【図５】
0003230461.tif 000007
【図６】
0003230461.tif 000008
【手続補正書】
【提出日】令和2年10月26日(2020.10.26)
【手続補正１】
【補正対象書類名】実用新案登録請求の範囲
【補正対象項目名】請求項２
【補正方法】変更
【補正の内容】
【請求項２】
前記固定機構は、スプレーボトルの重量を支えスプレーボトルの左右方向への移動を拘束する第一ピンおよび第二ピンと、ワイヤー機構から伝わる引っ張り力によるスプレーボトルの回転を拘束する噴射口取り付けワイヤーと、ボトルを支柱から離れない様に拘束するバンドにより構成される請求項１に記載の足踏み式消毒液噴射装置。
【手続補正２】
【補正対象書類名】実用新案登録請求の範囲
【補正対象項目名】請求項３
【補正方法】変更
【補正の内容】
【請求項３】
前記ペダル機構は、ペダルの一端を平丁番によりペダル台と締結し、ペダルの足踏み面とは反対側の面にバネを取り付け、バネの他端をペダル台に中程まで掘られたバネ用の受け穴の底に突き当て、ペダルを足踏みすることでペダルの解放側の先端に取り付けられたワイヤー固定ビスが下がり、ワイヤーに引っ張りの力を加えることが出来き、ペダルから足を離すとバネの力で元の位置まで戻る機構である請求項１に記載の足踏み式消毒液噴射装置。
【手続補正３】
【補正対象書類名】実用新案登録請求の範囲
【補正対象項目名】請求項４
【補正方法】変更
【補正の内容】
【請求項４】
前記ワイヤー機構は、ワイヤーの一端を環状としてトリガーに取り付け、滑車を介して方向を転換し、前記ペダル機構のペダルの先端に取り付けられたワイヤー固定ビスにワイヤーの末端を環状として取り付けた機構である請求項３に記載の足踏み式消毒液噴射装置。
【手続補正４】
【補正対象書類名】実用新案登録請求の範囲
【補正対象項目名】請求項５
【補正方法】変更
【補正の内容】
【請求項５】
前記プランター収納機構は、プランターを収納するための籠状のものであって、前記支柱のスプレーボトル固定面以外の面に取り付ける機構である請求項１に記載の足踏み式消毒液噴射装置。